(57)【要約】【課題】  磁性キャリア及びトナーを用いた現像装置において、現像履歴現象を確実に防止する。【解決手段】  現像ローラ１４には磁気ローラとの対面側に現像ローラ磁極Ｓが内蔵されており、現像ローラ磁極Ｓは現像ローラと磁気ローラ１３との最接近位置において磁気ローラ磁極Ｎ１と対向している。そして、現像ローラ磁極Ｓは現像ローラの軸方向を回転中心として回動可能に配設されている。【選択図】  図１
2005274924.tif 000002
【特許請求の範囲】
【請求項１】
少なくともキャリア及びトナーを有する二成分現像剤が用いられ、静電潜像が担持される像担持体に対向して配置され前記トナーによって前記静電潜像を現像してトナー像とする現像ローラと、前記現像ローラと対向して配置され複数の磁気ローラ磁極を有し前記二成分現像剤を保持して前記トナーを前記現像ローラに供給する磁気ローラとを有する現像装置において、
前記現像ローラには前記磁気ローラとの対面側に現像ローラ磁極が内蔵されていることを特徴とする現像装置。
【請求項２】
前記現像ローラ磁極は前記現像ローラと前記磁気ローラとの最接近位置において前記磁気ローラ磁極の一つと対向しており、
前記現像ローラ磁極は前記磁気ローラ磁極の一つと異磁極であることを特徴とする請求項１記載の現像装置。
【請求項３】
前記磁気ローラ磁極の一つは前記現像ローラと前記磁気ローラとの最接近位置又はその近傍に配設されており、
前記現像ローラ磁極は前記現像ローラの軸方向を回転中心として回動可能に配設されていることを特徴とする請求項１記載の現像装置。
【請求項４】
前記現像ローラは、非磁性の回転スリーブと、該回転スリーブ内でその軸方向に延びる回転軸体と、一端側に前記現像ローラ磁極が形成され他端側が前記回転軸体に固定されたマグネット体とを有することを特徴とする請求項３記載の現像装置。
【請求項５】
前記回転スリーブの両端にそれぞれ取り付けられ、前記回転スリーブの中心軸と同軸に外方向に延びる軸部が形成されたキャップ体と、
前記軸部を回転可能に支持する第１の軸受け部と、
前記キャップ体の内面側に配置され前記回転軸体を回転可能に支持する第２の軸受け部とを有することを特徴とする請求項４記載の現像装置。
【発明の詳細な説明】
【技術分野】
【０００１】
本発明は、複写機、プリンター、又はファクシミリ装置等の画像形成装置で用いられる現像装置に関し、特に、キャリア及びトナーを有する二成分現像剤を用いる現像装置に関するものである。
【背景技術】
【０００２】
一般に、画像形成装置においては、像担持体である感光体ドラム上に静電潜像が形成され、この静電潜像は現像装置によって現像されてトナー像となる。そして、感光体ドラム上のトナー像は記録用紙に転写され、記録用紙上のトナー像は定着装置によって定着される。このような現像装置において、キャリア及びトナーを有する二成分現像剤を用いて感光体ドラム上の静電潜像を現像するものがあり、現像装置は感光体ドラムと対峙する現像ローラ（現像剤担持体）を備えて、磁気ローラによって現像ローラ上にトナー層を形成し、感光体ドラム上の静電潜像を現像する。
【０００３】
ところで、上述のような現像装置では、感光体ドラム上の静電潜像を現像した際、現像ローラ上ではトナー消費されて無くなった部分（領域）とトナーが消費されずに残った部分とが発生して、次回現像の際に現像に差が生じてしまうことになる。つまり、連続的に現像を行うと前段階の現像履歴現象が発生してしまう（言い換えると、画像乱れなどが生じてしまう）。
【０００４】
このような不具合を防止するため、磁気ローラを、現像剤層を搬送する非磁性回転スリーブと、回転スリーブ内に配置された磁極とで構成して、現像ローラと磁気ローラとの対向位置において、磁気ローラ内部の磁極は、磁極中央部における磁極の落ち込み量をその両側のピーク値が反発磁極とならないように設定したものがある（特許文献１）。
【０００５】
【特許文献１】特開平６−１３０８１９号公報（第４頁〜第６頁、第４図）
【発明の開示】
【発明が解決しようとする課題】
【０００６】
従来の現像装置では、現像履歴現象を防止するため、磁気ローラ内部の磁極は、磁極中央部における磁極の落ち込み量をその両側のピーク値が反発磁極とならないように設定して、現像ローラ上のトナー層厚を一定に保とうとしているものの、トナー層厚が一定であっても、トナー帯電量が異なると、現像性に差異が生じてしまい、結果的に現像履歴現象を防止することが難しいという課題がある。
【０００７】
従って、本発明はかかる従来技術の問題に鑑み、現像履歴現象を確実に防止することのできる現像装置を提供することを目的とする。
【課題を解決するための手段】
【０００８】
そこで、本発明はかかる課題を解決するために、少なくともキャリア及びトナーを有する二成分現像剤が用いられ、静電潜像が担持される像担持体に対向して配置され前記トナーによって前記静電潜像を現像してトナー像とする現像ローラと、前記現像ローラと対向して配置され複数の磁気ローラ磁極を有し前記二成分現像剤を保持して前記トナーを前記現像ローラに供給する磁気ローラとを有する現像装置において、前記現像ローラには前記磁気ローラとの対面側に現像ローラ磁極が内蔵されていることを特徴とするものである。
【０００９】
本発明では、前記現像ローラ磁極は前記現像ローラと前記磁気ローラとの最接近位置において前記磁気ローラ磁極の一つと対向し、前記現像ローラ磁極は前記磁気ローラ磁極の一つと異磁極である。
【００１０】
本発明では、前記磁気ローラの一つを前記現像ローラと前記磁気ローラとの最接近位置又はその近傍に配設し、前記現像ローラ磁極を前記現像ローラの軸方向を回転中心として回動可能に配設することが望ましい。例えば、前記現像ローラは、非磁性の回転スリーブと、該回転スリーブ内でその軸方向に延びる回転軸体と、一端側に前記現像ローラ磁極が形成され他端側が前記回転軸体に固定されたマグネット体とを有している。
【００１１】
本発明では、前記回転スリーブの両端にそれぞれ取り付けられ、前記回転スリーブの中心軸と同軸に外方向に延びる軸部が形成されたキャップ体と、前記軸部を回転可能に支持する第１の軸受け部と、前記キャップ体の内面側に配置され前記回転軸体を回転可能に支持する第２の軸受け部とを有するが望ましい。
【発明の効果】
【００１２】
以上のように、本発明の現像装置は、現像ローラに磁気ローラとの対面側に現像ローラ磁極を内蔵して、現像ローラ磁極が現像ローラと磁気ローラとの最接近位置において磁気ローラ磁極の一つと対向し、現像ローラ磁極を磁気ローラ磁極の一つと異磁極とするようにしたので、現像ローラと磁気ローラとの最接近位置において磁気ブラシの拘束力が強くなって、良好な磁気ブラシが形成される結果、現像ローラ上の残ったトナーを確実に磁気ローラ側に回収できることになって、現像履歴現象を確実に防止できるという効果がある。
【００１３】
さらに、本発明では、磁気ローラ磁極の一つを現像ローラと磁気ローラとの最接近位置又はその近傍に配設して、現像ローラ磁極を現像ローラの軸方向を回転中心として回動可能に配設するようにしたので、磁気ローラ磁極の一つと現像ローラ磁極との間の吸引力によって、現像ローラ磁極が回転して、常に現像ローラ磁極は磁気ローラ磁極に最も接近する位置に位置付けられることになって、現像ローラ及び／又は磁気ローラにストレスが掛かることがなく、現像ローラと磁気ローラとの間のギャップ間隔は常に一定に保たれて、安定的に現像ローラ上にトナー層を形成することができるという効果がある。
【００１４】
本発明では、回転スリーブの両端のそれぞれに回転スリーブの中心軸と同軸に外方向に延びる軸部が形成されたキャップ体を取り付け、第１の軸受け部によって軸部を回転可能に支持するとともに、キャップ体の内面側に配置された第２の軸受け部によって回転軸体を回転可能に支持するようにしたので、現像ローラと像担持体（例えば、感光体ドラム）とのギャップ間隔及び現像ローラと磁気ローラとのギャップ間隔を安定させることができるばかりでなく、トナーが回転スリーブａ内に侵入して、回転スリーブを回転する際のトルクが増大することがないという効果がある。
【発明を実施するための最良の形態】
【００１５】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００１６】
図１は、本発明による現像装置の一実施例を示す図であり、図示の現像装置１０は、複写機等の画像形成装置２０で用いられ、磁性キャリアとトナーとを有する二成分現像剤を用いて像担持体である感光体ドラム上に形成された静電潜像を現像する。画像形成装置２０は、例えば、アモルファスシリコン（ａ−Ｓｉ）系材料を用いた感光体ドラム２１を備えており、感光体ドラム２１の周囲には、帯電器２２、現像装置１０、転写器（転写ローラ）２３及びクリーニングユニット２４等が配置されている。
【００１７】
画像形成を行う際には、感光体ドラム２１の表面を帯電器２２で均一に帯電した後、画像データに応じて感光体ドラム２１の表面を露光して、感光体ドラム２１上に静電潜像を形成する。感光体ドラム２１上の静電潜像は、現像装置１０によって現像されてトナー像となり、転写ローラ２３と感光体ドラム２１とのニップ部に搬送された記録用紙Ｐ上にトナー像が転写される。そして、記録用紙Ｓは定着装置（図示せず）に搬送されて、ここでトナー像が記録用紙Ｐ上に定着された後、例えば、排紙トレイ（図示せず）に排紙される。
【００１８】
現像装置１０は、現像容器１１を備えており、現像容器１１には二成分現像剤が収納されている。現像容器１１は仕切壁１１ａによって第１及び第２の収納室１１ｂ及び１１ｃに区画され、第１及び第２の収納室１１ｂ及び１１ｃにはそれぞれ第１及び第２の攪拌ローラ（ミキサー）１２ａ及び１２ｂが配設されている。
【００１９】
そして、第１及び第２の攪拌ローラ１２ａ及び１２ｂによって現像剤が攪拌されつつ、軸方向に搬送され、仕切壁１１ａに形成された現像剤通過路を介して第１及び第２の収納室１１ｂ及び１１ｃ間を循環する。現像容器１１内において、第２の攪拌ローラ１２ｂの上側には磁気ローラ１３が配置され、磁気ローラ１３と対面して現像ローラ１４が配置されている。そして、現像ローラ１４は現像容器１１のドラム開口側に面している。
【００２０】
磁気ローラ１３は、複数の磁極（磁気ローラ磁極）を有する固定マグネットローラ体１３ａを内包する非磁性の回転スリーブ１３ｂを有しており、例えば、回転スリーブ１３ｂは図中実線矢印で示す方向に回転駆動される。図示の例では、固定マグネットローラ１３ａは３つのＮ極（Ｎ１極〜Ｎ３極）と２つのＳ極（Ｓ１極及びＳ２極）を有しており、回転スリーブ１３ｂの回転方向において、Ｎ１極とＮ２極との間にＳ１極が配置され、Ｎ３極とＮ１極との間にＳ２極が配置されている。
【００２１】
現像ローラ１４は非磁性の回転スリーブ１４ａを有しており、この回転スリーブ１４ａ内には一つの現像ローラ磁極体（マグネット体）１４ｂが配置されている。図示の例においては、この現像ローラ磁極体１４ｂには、固定マグネットローラ体１３ａのＮ１極と異磁極のＳ極が現像ローラ磁極として着磁されている。回転スリーブ１４ａは磁気ローラ１３とはその対面位置（対向位置）において所定のギャップをもって対向しており、現像ローラ磁極Ｓは所定のギャップを挟んで対向位置において磁気ローラ磁極Ｎ１と対向している（磁気ローラ磁極Ｎ１は現像ローラ１４と磁気ローラ１３との最接近位置又はその近傍に配置される）。
【００２２】
なお、回転スリーブ１４ａと回転スリーブ１３ｂとは対向位置においてその回転方向が逆向きとなっている（回転スリーブ１４ａの回転方向は図中実線矢印で示されている）。また、図示の例では、後述するように、現像ローラ磁極体１４ｂはその一端が回転軸体１４ｃに固定され、回動可能となっている。
【００２３】
現像容器１１には、トナー層厚規制部材であるドクターブレード１５が回転スリーブ１３ｂの長手方向（図１において紙面の表側から裏側に延びる方向）に沿って取り付けられており、回転スリーブ１３ｂが図中実線矢印で示す方向に回転するとすると、ドクターブレード１５は対向位置よりも上流側に位置付けられている。そして、ドクターブレード１５の先端部と回転スリーブ１３ｂとの表面には僅かな隙間（ギャップ）が形成されている。
【００２４】
図１に示す現像装置１０においては、前述のように、第１及び第２の攪拌ローラ１２ａ及び１２ｂによって、現像剤が攪拌されつつ現像容器１１内を循環してトナーを帯電させ、第２の攪拌ローラ１２ｂ上の現像剤は磁気ローラ１３に吸引搬送される。そして、磁気ロール１３上には磁気ブラシ（図示せず）が形成され、磁気ローラ１３上の磁気ブラシはドクターブレード１５によって層規制されて、磁気ローラ１３と現像ローラ１４との間の電位差によって現像ローラ１４にトナー層を形成する。そして、現像ローラ１４上のトナー層によって感光体ドラム２１上の静電潜像が現像される。
【００２５】
上述のようにして現像が行われた後、残留トナー層を有する現像ローラ１４は前述の対向位置において現像剤層を有する磁気ローラ１３と最接近し、この対向位置では、磁気ブラシによる機械的な力によって、現像ローラ１４上のトナー層が掻き取られるとともに、磁気ローラ１３と現像ローラ１４との間に形成される電位差（つまり、電界）に応じて磁気ローラ１３上の現像剤層からトナーが現像ローラ１４側に供給されることになる。
【００２６】
前述のように、対向位置において回転スリーブ１３ｂ及び１４ａの回転方向は互いに反対方向であり、磁気ローラ磁極Ｎ１に対向して異磁極の現像ローラ磁極Ｓ極が存在するから、磁気ローラ磁極Ｎ１と現像ローラ磁極Ｓ極との間に磁界が形成され、これによって、磁気ブラシの拘束力が強くなって、つまり、磁気ブラシが良好に形成されることになって、現像ローラ１４上のトナーがキャリアによる磁気ブラシによって機械的に掻き取られて、磁気ローラ１３側に引き戻される。
【００２７】
このようにして、磁気ブラシによるトナー掻き取り力を強くしたから、現像ローラ１４上に残ったトナーを確実に磁気ローラ側に回収することができ、現像履歴現象が生じることがない。また、図１に示すように、磁気ローラ１３を現像ローラ１４の下側に配置するようにすれば、現像ローラ１４上のトナーを回収する際には、トナーに重力が作用する結果、効率的にトナー回収を行うことができる。
【００２８】
ここで、図２を参照すると、図２において、図１と同一の構成要素については同一の参照番号が付されている。図２は現像ローラ１４及び磁気ローラ１３の支持構成を説明するための図であり、現像ローラ１４及び磁気ローラ１３は省略されている。磁気ローラ軸１３ｃは軸受け３１に支持されており、回転軸体１４ｄにはギャップコロ３２が取り付けられている。
【００２９】
そして、現像ローラ軸１４ｄは軸受け（第１の軸受け部）３１に支持されている。軸受け３１は磁気ローラ軸１３ｃを中心として回転し、これによって、バネ等の付勢部材（図示せず）によってギャップコロ３２が感光体ドラム２１の表面（画像形成領域外の表面）に押圧され、現像ローラ１４と感光体ドラム２１とのギャップを、ギャップコロ３２で規定される間隔に保っている。
【００３０】
ここで、図３を参照して、図３は現像ローラ１４の支持構成の一例を示す図であり、前述のように、現像ローラ１４は回転スリーブ１４ａと現像ローラ磁極体１４ｂとを備えており、回転スリーブ１４ａ内には軸方向に延びる回転軸体１４ｃが収納され、この回転軸体１４ｃに現像ローラ磁極体１４ｂの一端側が固定され、他端側には現像ローラ磁極Ｓが形成されている。回転スリーブ１４ａの一端開口部（図中右端開口部）には軸部４１ａを有するキャップ体４１が嵌合されており、一方、回転スリーブ１４ａの他端開口部（図中左端開口部）にはキャップ体４２が嵌合されている。
【００３１】
回転軸体１４ｃの一端はキャップ体４１の内面側に配設された軸受け（第２の軸受け部）４１ｂによって支持され、回転軸体１４ｃの他端はキャップ体４２を貫通して回転スリーブ１４ａの外側に延び、キャップ体４２の軸受け４２ａによって支持されている。回転軸体１４ｃの他端は軸受け３１ａに回転可能に支持され、軸受け３１ａは図２に示す軸受け３１に圧入されている。そして、回転軸体１４ｃの他端側にギャップコロ３２が取り付けられている。
【００３２】
前述の軸部４１ａは、軸受け３１ａによって回転可能に支持され、この軸受け３１ａは軸受け３１に圧入されている。そして、軸部４１ａにはギャップコロ３２が取り付けられている。ここでは、軸部４１ａ及び回転軸体１４ｃが現像ローラ軸１４ｄとなる。さらに、軸部４１ａには駆動ギア４３が装着され、この駆動ギア４３を介してモータ等の駆動源（図示せず）から回転力が伝達されて、軸部４１ａが回転する（つまり、回転スリーブ１４ａが回転する）。
【００３３】
ところで、前述のように、磁気ローラ磁極Ｎ１と現像ローラ磁極Ｓ極とを対向して配置しようとすると、その取り付け精度によって、磁気ローラ磁極Ｎ１と現像ローラ磁極Ｓとの対向関係がずれることがある。つまり、現像ローラ磁極Ｓを磁気ローラ磁極Ｎ１と最も接近する位置に配設しようとしても、取り付け誤差等に起因して、現像ローラ磁極Ｓを磁気ローラ磁極Ｎ１と最も接近する位置に配設することが難しい。
【００３４】
そして、磁気ローラ磁極Ｎ１と現像ローラ磁極Ｓとの対向関係がずれて、現像ローラ磁極体１４ｂが固定的に配置されると、現像ローラ磁極Ｓと磁気ローラ磁極Ｎ１との間の吸引力によって、現像ローラ１４及び／又は磁気ローラ１３にストレスが掛かり、この結果、現像ローラ１４と磁気ローラ１３との間のギャップ間隔がずれて、安定的に現像ローラ１４上にトナー層を形成できないことがある。
【００３５】
一方、図３に示す構成（支持機構）においては、回転軸体１４ｃに現像ローラ磁極体１４ｂを取り付けて、この回転軸体１４ｃが回転可能に支持されているから、つまり、現像ローラ磁極体１４ｂが回転可能に支持されているから、磁気ローラ磁極Ｎ１と現像ローラ磁極Ｓとの間の吸引力によって、現像ローラ磁極体１４ｂが回転軸体１４ｃを中心軸として回転して、常に現像ローラ磁極Ｓは磁気ローラ磁極Ｎ１に最も接近する位置に位置付けられることになって、現像ローラ１４及び／又は磁気ローラ１３にストレスが掛かることはなく、この結果、現像ローラ１４と磁気ローラ１３との間のギャップ間隔は常に一定に保たれて、安定的に現像ローラ１４上にトナー層を形成することができる。
【００３６】
ここで、感光体ドラム２１の直径を３０ｍｍ、その周速を１３０ｍｍ／ｓとして、回転スリーブ１４ａの材質をアルミニウム、直径を１６ｍｍ、その周速を２１０ｍｍ／ｓ、現像ローラ磁極体１４ｂの磁力を３００Ｇとし、さらに、回転スリーブ１３ｂの材質をアルミニウム、直径を２０ｍｍ、その周速を３３０ｍｍ／ｓ、磁気ローラ磁極Ｎ１，Ｓ１，Ｎ２，Ｎ３，及びＳ２の磁力をそれぞれ９００Ｇ，８００Ｇ，６００Ｇ，４００Ｇ，及び５００Ｇとして、画像形成を行ってみた。
【００３７】
この際、感光体ドラム２１と現像ローラ１４とのギャップを０．２５ｍｍ、磁気ローラ１３と現像ローラ１４とのギャップを０．４ｍｍ、ドクターブレード１５のギャップを０．５ｍｍに設定し、磁気ローラ１３にＤＣ３００Ｖのバイアス電圧を印加し、現像ローラ１４に、Ｖｐｐ＝１．５ｋＶ，周波数＝３ｋＨｚ，Ｖｄｃ＝１００Ｖ，及びデューティー比３０％のバイアス電圧を印加した（このＶｄｃは面積中心電圧又は時間平均電圧と呼ばれ、デューティー比を変化させた際変化する。面積中心電圧は、交流波形においてこの電圧値よりも高い電圧値の面積とこの電圧値よりも低い電圧値の面積とが等しくなる電圧値を意味する。また、時間平均電圧とは、交流波形を一周期積分してその積分値を周期で除算した電圧値を意味する）。また、感光体ドラム２１の表面電位を３００Ｖとし、現像容器１１に３５０ｇの現像剤をセットした（トナー（Ｔ）／キャリア（Ｄ）の重量％＝７ｗｔ％とした）。上述の条件下で、印刷を行ったところ、全てのトナーを消費するまで、良好な画質が得られることが確認できた。つまり、現像履歴現象が生じることはなかった。
【００３８】
図３で説明した支持機構においては、回転スリーブ１４ａ内に挿通された回転軸体１４ｃが軸受け３１によって回転可能に現像容器１１に支持されるとともに、キャップ体４１の軸部４１ａ（この軸部４１ａが現像ローラ軸１４ｄとして機能して、回転スリーブ１４ａが回転する）が軸受け３１によって回転可能に支持されている関係上、あたかも回転スリーブ１４ａ自体は片持ち支持されている状態となって、回転スリーブ１４ａの回転の際、わずかなガタツキが生じることがある。
【００３９】
このため、現像ローラ１４と感光体ドラム２１とのギャップ及び現像ローラ１４と磁気ローラ１３とのギャップ間隔が不安定となって、画質不良等が生じることもある。さらに、回転軸体１４ｃがキャップ体４２を貫通しているため、回転軸体１４ｃとキャップ体４２との隙間からトナーが回転スリーブ１４ａ内に侵入して、回転スリーブ１４ａを回転する際のトルクが増大することもある。
【００４０】
そこで、図４に示すようにして、現像ローラ１４の支持機構を構成した。図４において、図３に示す構成要素と同一の構成要素については同一の参照番号を付して説明を省略する。図示の例では、キャップ体４２の代わりに軸部４４ａを有するキャップ体４４を用いており、回転軸体１４ｃの他端をキャップ体４４の内面側に設けられた軸受け（第２の軸受け部）４４ｂによって回転可能に支持されている。そして、軸部４４ａは軸受け３１ａによって回転可能に支持され、軸受け３１ａは前述のように軸受け３１に圧入されている。
【００４１】
この結果、回転スリーブ１４ａはあたかもキャップ体４１及び４４によって両持ち支持されていることになって、回転スリーブ１４ａの回転の際、ガタツキが生じない。従って、現像ローラ１４と感光体ドラム２１とのギャップ間隔及び現像ローラ１４と磁気ローラ１３とのギャップ間隔を安定させることができる。また、回転軸体１４ｃはキャップ体４１及び４４を貫通することがないから、トナーが回転スリーブ１４ａ内に侵入して、回転スリーブ１４ａを回転する際のトルクが増大することはない。
【００４２】
図４に示す支持機構を用いて上述した条件下で印刷を行ったところ、現像剤交換時期となるまで、良好な画質が得られることが確認でき、現像履歴現象が生じることはなかった。
【産業上の利用可能性】
【００４３】
この現像装置では、磁気ローラの一つを現像ローラと磁気ローラとの最接近位置に配設したので、現像ローラと磁気ローラとの最接近位置とにおいて磁気ブラシの拘束力が強くなって、良好な磁気ブラシが形成される結果、現像ローラ上の残ったトナーを確実に磁気ローラ側に回収できることになって、現像履歴現象を確実に防止でき、さらに、現像ローラ磁極を現像ローラの軸方向を回転中心として回動可能に配設するようにしたので、磁気ローラ磁極の一つと現像ローラ磁極との間の吸引力によって、現像ローラ磁極が回転して、常に現像ローラ磁極は磁気ローラ磁極に最も接近する位置に位置付けられることになって、現像ローラ及び／又は磁気ローラにストレスが掛かることがなく、現像ローラと磁気ローラとの間のギャップ間隔は常に一定に保たれて、安定的に現像ローラ上にトナー層を形成することができる結果、複写機、プリンター、又はファクシミリ装置等の画像形成装置における現像装置に適用できる。
【図面の簡単な説明】
【００４４】
【図１】本発明による現像装置の実施例１の一例を画像形成装置の一部とともに概略的に示す断面図である。
【図２】図１に示す現像装置における磁気ローラ及び現像ローラの支持構成を概略的に示す断面図である。
【図３】図１に示す現像装置における現像ローラの支持構成の一例を詳細に説明するための断面図である。
【図４】図１に示す現像装置における現像ローラの支持構成の他の例を詳細に説明するための断面図である。
【符号の説明】
【００４５】
１０  現像装置
１１  現像容器
１２ａ  第２の攪拌ローラ（ミキサー）
１２ｂ  第１の攪拌ローラ（ミキサー）
１３  磁気ローラ
１３ｂ、１４ａ  回転スリーブ
１３ａ  固定マグネットローラ体
１４ｂ  現像ローラ磁極体
１４ｃ  回転軸体
１４  現像ローラ
１５  ドクターブレード
２１  感光体ドラム
２２  帯電器
２３  転写ローラ
２４  クリーニングユニット
【図１】
2005274924.tif 000003
【図２】
2005274924.tif 000004
【図３】
2005274924.tif 000005
【図４】
2005274924.tif 000006